(57)【要約】【課題】蛍光ランプ装置の光むらをなくして美観を高める。【解決手段】この蛍光ランプ装置は、ほぼ円形の本体と、本体に、それぞれの端部を結ぶ包絡線がほぼ円形をなすよう平行に接合された長さの異なる複数の管体からなる蛍光ランプと、本体内に収容された、蛍光ランプを点灯させる点灯装置とを具備している。【選択図】図１
2007042290.tif 000002
【特許請求の範囲】
【請求項１】
ほぼ円形の本体と；
前記本体に、それぞれの端部を結ぶ包絡線がほぼ円形をなすよう平行に接合された長さの異なる複数の管体からなる蛍光ランプと；
前記本体内に収容された、前記蛍光ランプを点灯させる点灯装置と；
を具備したことを特徴とする蛍光ランプ装置。
【請求項２】
前記本体に前記蛍光ランプを覆う光拡散性の透過性カバーが装着されていることを特徴とする請求項１記載の蛍光ランプ装置。
【請求項３】
前記管体がＵ字管であり、
前記複数の管体が、前記Ｕ字管の屈曲部および前記端部を結ぶ包絡線がほぼ円形をなすように異なる長さを有することを特徴とする請求項１または２に記載の蛍光ランプ装置。
【請求項４】
前記管体の長さが前記本体の中央から前記管体の長手方向に直交する方向に向かうに連れて徐々に短くなるように形成されていることを特徴とする請求項１ないし３のいずれか１項に記載の蛍光ランプ装置。
【請求項５】
請求項１ないし４のいずれか１項に記載の蛍光ランプ装置を備え、該蛍光ランプ装置と対応するソケット部を有することを特徴とする照明器具。
【発明の詳細な説明】
【技術分野】
【０００１】
本発明は、点灯装置を収容した蛍光ランプ装置、照明器具に関する。
【背景技術】
【０００２】
昨今のエネルギー事情を反映して、省エネルギーや軽量化に優れ電子点灯回路を内蔵した蛍光ランプが照明用光源として普及している。近年、いわゆるフィラメント型電球の代替として利用可能とするため、発光管と点灯装置とを同一ケース内に収容した蛍光ランプ装置が実用化されている（例えば、特許文献１参照）。
【０００３】
一方、電球代替を目的とした点灯装置内蔵型蛍光ランプでは、高さ方向の寸法が大きくなる。そこで、平面的な光源を得るため、蛍光管をケース内に並列に配置した蛍光ランプ装置が開発されている（例えば非特許文献１）。
【特許文献１】特開平６−２８３１３９号公報
【非特許文献１】Ｊ．Ｄ．フーカー［ランプテック］（J. D. Hooker [LAMPTECH]）、シルヴァニア・マイクロリンクス・エフ・自己安定型蛍光灯（Sylvania MicroLynx 'F' Self-Ballasted Fluorescent）、［online］、２００３年３月２３日、Ｊ．Ｄ．フーカー［ランプテック］（J.D. Hooker[LAMPTECH]）、［平成１７年７月２０日］、インターネット（http://www.lamptech.co.uk/Spec%20Sheets/Sylvania%20MicroLynx.htm）
【０００４】
しかし、非特許文献１に示される従来の蛍光ランプ装置では、装置本体およびカバー（光放射窓）が円形であり、蛍光管とカバー周縁部との間に隙間があるため、放射光に明暗や光むらが生じてしまう。そのため、カバー全体から光が放射されず、美観が損なわれていた。
【発明の開示】
【発明が解決しようとする課題】
【０００５】
このように、従来の蛍光ランプ装置、照明器具では、カバー全体から光が放射されず美観が損なわれるという問題がある。
【０００６】
本発明はこのような課題を解決するためになされたもので、カバー全体から光を放射することのできる蛍光ランプ装置、照明器具を提供することを目的とする。
【課題を解決するための手段】
【０００７】
上記した目的を達成するために、請求項１の発明は、ほぼ円形の本体と、本体に、それぞれの端部を結ぶ包絡線がほぼ円形をなすよう平行に接合された長さの異なる複数の管体からなる蛍光ランプと、本体内に収容された、蛍光ランプを点灯させる点灯装置とを具備している。この発明によれば、長さの異なる複数の管体を、端部を結ぶ包絡線がほぼ円形をなすよう平行に装着したので、本体のほぼ全面から満遍なく光が放射され、放射光のむらを少なくする。また、放射路の長さをより長くすることができる。
【０００８】
請求項２の発明は、請求項１の発明において、本体に蛍光ランプを覆う光拡散性の透過性カバーが装着されていることを特徴とする。この発明によれば、光拡散性の透過性カバーによって点灯時の蛍光ランプの形状が映ることなく、カバー全体が光るように点灯する。
【０００９】
請求項３の発明は、請求項１または２の発明において、管体がＵ字管であり、複数の管体が、Ｕ字管の屈曲部および端部を結ぶ包絡線がほぼ円形をなすように異なる長さを有することを特徴とする。この発明によれば、管体をＵ字管としたので、簡単な製造工程で良質な蛍光ランプ装置を得ることができる。
【００１０】
請求項４の発明は、請求項１ないし３のいずれかの発明において、管体の長さが本体の中央から管体の長手方向に直交する方向に向かうに連れて徐々に短くなるように形成されていることを特徴とする。この発明によれば、管体の長さを本体の中央から周縁部に向かうに連れて徐々に短くなるように形成したので、簡単な工程で管体端部の包絡線をほぼ円形にすることができる。
【００１１】
請求項５の発明は、請求項１ないし４のいずれかの発明の蛍光ランプ装置を備え、該蛍光ランプ装置と対応するソケット部を有することを特徴とする。
【発明の効果】
【００１２】
本発明によれば、蛍光ランプ装置の光むらをなくして美観を高めることができる。
【発明を実施するための最良の形態】
【００１３】
本発明の蛍光ランプ装置、照明器具では、放電路を蛇行させた発光管（管体）の屈曲部を含む端部の包絡線の形状を、カバーの外縁形状（例えば円形）に合わせて形成することで、カバー全体からの光放射を可能とした。すなわち、蛍光ランプ装置の中心部から周縁部に向かうにつれて、発光管の直線部分の長さが徐々に短くなるように形成した。
【００１４】
以下、本発明の１実施形態を図面を参照して詳細に説明する。図１は本発明に係る一つの実施形態の蛍光ランプ装置の全体構成を示す分解斜視図である。図１において、１は蛍光ランプ装置、１１１は本体部、１１２はカバー部、１１３は照明器具（一部）、１１４は凹部、１１５は突起部、１１６は給電孔、１２０は発光管、１５１はリード線である。
【００１５】
図１に示すように、この実施形態の蛍光ランプ装置１では、放電路を蛇行させた発光管１２０を収納した本体部１１１と、発光管１２０の光を透過するカバー部１１２とを有している。
【００１６】
発光管１２０は、内壁面に蛍光塗料を塗布して所定の希ガスを充填した蛍光管であり、例えばガラス管などの管体からなる。発光管１２０は、放電路が蛇行するように構成されていれば、一本の発光管を複数個所屈曲させて形成しても、Ｊ字管などのＵ字管を連結させて蛇行状に形成してもよい。
【００１７】
本体部１１１は、蛍光管１２０を収容するケース本体であるとともに、その一部が照明器具１１３のソケット部に嵌め合わせる口金（プラグ）としても機能する。この実施形態の蛍光ランプ装置１では、本体部１１１は略円形で周縁部が湾曲した皿状の形状を有している。
【００１８】
カバー部１１２は、光を拡散し光透過性を有する光放射窓として機能するカバーであり、例えばソーダライムガラスなどからなる。カバー部１１２は、本体部１１１と対応した大きさおよび形状に形成される。したがって、この実施形態のカバー部１１２は、本体部１１１と対応した円形形状となる。
【００１９】
蛍光ランプ装置１は、凹部１１４、突起部１１５および給電孔１１６などからなるソケット部に装着され、一体となって照明器具１１３（一部のみ図示）をなす。本体部１１１の底面（外面）には、凹部１１４に対応する凸部（口金）と、突起部１１５に対応する溝部と、給電孔１１６に対応するプラグ部が設けられている。蛍光ランプ装置１は、凹部１１４に当該凸部を嵌め合わせ、次いで突起部１１５と当該溝部とを嵌め合わせて、さらに給電孔１１６と当該プラグ部とが固定するように蛍光ランプ装置１を回転させることで、照明器具１１３に固定される。
【００２０】
図１に示すように、この実施形態の発光管１２０は、直線部分の長さが、本体部１１１の中心から管体の直線部方向に直交する方向（Ｕ字管の接合方向）の周縁部に向かうにつれて徐々に短くなるように形成されている。したがって、発光管１２０は、本体部１１１の平面方向のほぼ全域にわたって敷き詰められるように配設されている。
【００２１】
発光管１２０の両端には、リード線１５１が接続されている。リード線１５１は、図示しない点灯装置と接続され、発光管の放電のための電圧を発光管１２０に供給する。
【００２２】
この実施形態の蛍光ランプ装置１では、発光管１２０を蛇行させて、端部（屈曲部）を結ぶ包絡線が本体部１１１（カバー部１１２）の外形形状である円形となるように形成したので、発光管１２０の放射光を光むらのない円形とすることができる。また、この構成を採用することで、発光管１２０の放電路長を長くすることができ、より明るい放射光を得ることが可能になる。さらに、この実施形態の蛍光ランプ装置１では、蛇行した発光管１２０により本体部１１１が敷き詰められるように構成したので、光むらをより少なくすることができる。
【００２３】
続いて、図２ないし図４を参照して、蛍光ランプ装置１の本体部１１１について詳細に説明する。図２は、この実施形態の蛍光ランプ装置１の本体部１１１の平面図、図３は、同じく底面図、図４は、同じく図２の矢視ＡＡから見た断面図である。図２において、１２１ないし１２４は発光管、１３１ないし１３３は連結管、１４１は装置カバー、１４２は発光管支持部、１４３はリード線保持部、１４４は取付ねじ、１５１はリード線である。また、図３において、１１７は凸部、１１８は溝部、１１９はプラグ部である。さらに、図４において、１４５は接合部、１５２は点灯装置、１５３は電源線である。
【００２４】
図２に示すように、この実施形態に係る蛍光ランプ装置１の本体部１１１には、発光管１２１ないし１２４が並列に配設されている。発光管１２１ないし１２４は、装置カバー１４１、発光管支持部１４２およびリード線保持部１４３などからなるホルダに固定され、当該ホルダは、取付ねじ１４４により本体部１１１に固定されている。
【００２５】
装置カバー１４１は、点灯装置を発光管が発生する熱から保護する円形の装置カバーであり、本体部１１１の略中央部に位置している。発光管支持部１４２は、発光管１２１ないし１２４を固定する支持部材であり、装置カバー１４１の中心から本体部１１１の外周に向けて、発光管１２１ないし１２４の直線部分と直交するように直線状に形成されている。リード線保持部１４３は、発光管１２１ないし１２４を固定するとともに発光管１２０のリード線１５１を保護する支持部材であり、発光管１２１および１２４の端部間を直線状に結ぶように形成され、その略中点から装置カバー１４１に向けて延びるように形成されている。装置カバー１４１、発光管支持部１４２およびリード線保持部１４３は、ＰＢＴなど断熱性・絶縁性のある材料からなり、一体的に形成されて発光管のホルダを構成する。
【００２６】
発光管１２１ないし１２４は、それぞれ管の長手方向中央からややずらした位置に屈曲部が形成され、直線部の長さが端部側で異なるＪ字状のＵ字管をなしている。発光管１２１および１２４は、同一形状および同一の大きさに形成され、発光管１２２および１２３は、同一形状および同一の大きさに形成される。発光管１２１および１２４は、発光管１２２および１２３よりも管の放電路長が短く形成されている。
【００２７】
発光管１２１の直線部分の長い方の管および発光管１２２の直線部分の短い方の管は、それぞれの端部近傍において連結管１３１により連結されている。同様に、発光管１２４の直線部分の長い方の管および発光管１２３の直線部分の短い方の管は、それぞれ端部近傍において連結管１３３により連結されている。発光管１２２および１２３の直線部分の長い方の管は、それぞれ端部近傍において連結管１３２により連結されている。すなわち、発光管１２１ないし１２４は、本体部１の平面方向に蛇行した一つの放電路を形成し、図１に示す発光管１２０を構成する。また、発光管１２１ないし１２４の直線部分の長さの相違により、発光管１２１ないし１２４の屈曲部および端部（以下屈曲部と端部とを単に端部と総称することがある）の包絡線が略円形形状となる。
【００２８】
よって、発光管１２０を本体部１１１に収容すると、本体部１１１の平面方向の略全面が、発光管１２１ないし１２４により敷き詰められたような状態となる。これにより、蛍光ランプ装置１から放射される光は、カバー部１１２の略全面から満遍なく放射され、光むらを少なくすることができる。
【００２９】
なお、この実施形態では、４本のＪ字状のＵ字管である発光管１２１ないし１２４を連結して発光管１２０を形成したが、これには限定されない。本体部１１１のサイズにより、３本や５本の発光管を連結して蛇行状の発光管１２０を構成してもよい。この場合、本体部１１１の中央部に配設される発光管はＪ字状のＵ字管ではなくＵ字状のＵ字管である発光管となる。
【００３０】
発光管１２０の端部には、リード線１５１が接続されている。リード線１５１は、リード線支持部１４３に設けられた溝（図示せず）に沿わせられて装置カバー１４１内に収容された点灯装置と接続される。
【００３１】
この実施形態の蛍光ランプ装置１では、発光管１２０を連結されたＪ字状（Ｕ字状）により構成したので、簡単な製造工程で良質な発光管、蛍光ランプ装置を得ることができる。
【００３２】
図３に示すように、本体部１１１の底面（下面）には、略中央に円柱状の凸部１１７と、凸部１１７の周縁部に突出したプラグ部１１９とが形成されている。凸部１１７の端面周縁部には、一対の溝部１１８が形成されている。溝部１１８は、凸部１１７の端面から軸方向に向けてＬ字状に形成され、照明器具１１３のソケットをなす突起部１１５とかみ合わさってロック機構を構成する。プラグ部１１９は、蛍光ランプ装置１に電源を供給するための端子であり、本体部１１１底面から突出したリベット状に形成されている。
【００３３】
図４に示すように、本体部１１１の凸部１１７の内部には、点灯装置１５２が配置されている。点灯装置１５２は、発光管１２０を発光させる電圧を発生する点灯装置である。点灯装置１５２には、一端がプラグ部１１９と接続された電源線１５３と、図２に示すリード線１５１とが接続されている。すなわち、プラグ部１１９に供給された電源は、電源線１５３を介して点灯装置１５２に供給される。また、点灯装置１５２からのランプ点灯用電力は、リード線１５１を介して発光管１２０に供給される。
【００３４】
発光管１２１ないし１２４は、本体部１１１の平面方向に沿って平面的に配列され、接着部１４５により発光管支持部１４２に接着される。すなわち、発光管１２１ないし１２４は、発光管支持部１４２に沿って平面状に固定される。接着部１４５は、例えばシリコーン系樹脂などからなる接着剤である。
【００３５】
このように、この実施形態の蛍光ランプ装置１では、点灯装置１５２が本体部１１１の底面に形成された凸部１１７の内部に配置されるとともに、発光管１２１ないし１２４が平面方向に一列に配置されるので、厚さをより薄くすることができる。
【００３６】
また、この実施形態の蛍光ランプ装置１では、発光管支持部１４２により発光管１２１ないし１２４を一体的に固定するので、発光管１２１ないし１２４それぞれの位置を整えることができ、均一な光放射を可能にするとともに、製造工程を簡単にすることができる。
【００３７】
ここで、この実施形態の蛍光ランプ装置１の実施例について説明する。外径が７ｍｍ、肉厚が１ｍｍのガラス管により２本のＪ字状のＵ字管を作成し、一本に連結して定格電力８Ｗの発光管とした場合、発光管の端部の包絡線を直径約６１ｍｍの円形とすることができた。同様に、一本のＵ字状のＵ字管と二本のＪ字状のＵ字管を一本に連結して定格電力１３Ｗの発光管とした場合、発光管の端部の包絡線を直径約７３ｍｍの円形とすることができた。さらに、第１の実施形態と同様に、２組のＪ字状のＵ字管を一本に連結して定格電力２０Ｗの発光管とした場合、発光管の端部の包絡線を直径約９８ｍｍの円形とすることができた。
【００３８】
次に、図５および図６を参照して、本発明の第２の実施形態を詳細に説明する。図５は、本発明の第２の実施形態に係る蛍光ランプ装置２の本体部２１１を示す平面図、図６は、同じく図５の矢視ＢＢから見た断面を示す断面図である。図５において、２１１は本体部２２１および２２２は発光管、２３１は連結管、２４１は装置カバー、２４２は発光管支持部、２４３はリード線保持部、２４４は取付ねじ、２５１はリード線である。図６において、２４５は接合部である。なお、図６において第１の実施形態と同一の構成部分については同一の符号を付して示した。
【００３９】
上述したとおり、本発明の第１の実施形態では、点灯装置１５２を本体部１１１の凸部１１７内部に配置し、発光管１２１ないし１２４を本体部１１１の平面方向に並列に配置した。この場合、発光管１２１ないし１２４で発生した熱が点灯装置１５２に伝播し、点灯装置１５２の温度を上昇させる。点灯装置１５２の温度上昇は、点灯装置自体の動作不良や、点灯装置１５２を収納する凸部１１７の温度上昇、さらには本体部１１１と接する照明器具１１３や壁、天井などの温度上昇の要因となり得るから、できるだけ抑えることが望ましい。
【００４０】
一般に、蛍光ランプ装置では、発光管の発熱が支配的であるから、この発熱源を分散させることで発熱を抑えることができる。そこで、第２の実施形態に係る蛍光ランプ装置では、発光管と点灯装置とを本体部１１１の平面方向にずらすことにより、発熱源を分散させている。
【００４１】
図５に示すように、本発明の第２の実施形態に係る蛍光ランプ装置２の本体部２１１には、円形に形成された発光管２２１および２２２が同軸的に配設されている。発光管２２１および２２２は、装置カバー２４１、発光管支持部２４２およびリード線保持部２４３などからなるホルダに固定され、当該ホルダは、取付ねじ２４４により本体部２１１に固定されている。
【００４２】
装置カバー２４１は、点灯装置を発光管から発生する熱から保護する円形の装置カバーであり、本体部２１１の略中央部に位置している。発光管支持部２４２は、発光管２２１および２２２を固定する支持部材であり、装置カバー２４１の中心から本体部２１１の外周に向けて直線状に形成されている。リード線保持部２４３は、発光管２２１および２２２を固定するとともに発光管２２１および２２２のリード線２５１を保護する支持部材であり、装置カバー２４１の中心から発光管支持部２４２と垂直方向に、発光管２２１および２２２の端部に向けて延びるように形成されている。装置カバー２４１、発光管支持部２４２およびリード線保持部２４３は、ＰＢＴなど断熱性・絶縁性のある材料からなり、一体的に形成されて発光管のホルダを構成する。
【００４３】
発光管２２１および２２２は、略円形に形成された発光管である。発光管２２１および２２２は、それぞれ直径の異なる相似形に形成される。発光管２２２は、発光管２２１よりも管の放電路長が短く形成されている。
【００４４】
発光管２２１の一方の端部と、当該端部と対応する発光管２２２の端部とは、それぞれの端部近傍において連結管２３１により連結されている。すなわち、発光管２２１および２２２は、本体部２１１の外周に沿った一つの放電路を形成する。
【００４５】
発光管２２１および２２２のうち、内側に位置する発光管２２２は、装置カバー２４１の外周縁と離間するとともに当該外周縁に沿った円形に形成される。したがって、発光管２２１および２２２は、点灯装置が収納される装置カバー２４１と本体部２１１の平面方向に重ならないように配置される。この構成により、発光管２２１および２２２から発生し装置カバー２４１を介して点灯装置に達する熱は抑制される。
【００４６】
図６に示すように、本体部１１１の凸部１１７の内部には、点灯装置１５２が配置されている。点灯装置１５２は、発光管２２１および２２２を発光させる電圧を発生する点灯装置である。点灯装置１５２には、一端がプラグ部１１９と接続された電源線１５３と、図５に示すリード線２５１とが接続されている。すなわち、プラグ部１１９に供給された電源は、電源線１５３を介して点灯装置１５２に供給される。また、点灯装置１５２からの蛍光ランプ点灯用電力は、リード線２５１を介して発光管２２１および２２２に供給される。
【００４７】
発光管２２１および２２２は、本体部２１１の平面方向に沿って平面的に配列され、接着部２４５により発光管支持部２４２に接着される。すなわち、発光管２２１および２２２は、発光管支持部２４２に沿って平面状に固定される。接着部２４５は、例えばシリコーン系樹脂などからなる接着剤である。
【００４８】
このように、この実施形態の蛍光ランプ装置２では、点灯装置１５２が本体部２１１の底面に形成された凸部１１７の内部に配置されるとともに、発光管２２１および２２２が平面方向に一列に配置されるので、厚さをより薄くすることができる。
【００４９】
また、この実施形態の蛍光ランプ装置２では、発光管支持部２４２により発光管２２１および２２２を一体的に固定するので、発光管２２１および２２２それぞれの位置を整えることができ、均一な光放射を可能にするとともに、製造工程を簡単にすることができる。
【００５０】
次に、図７を参照して、本発明の第３の実施形態を詳細に説明する。図７は、本発明の第３の実施形態の蛍光ランプ装置３の本体部３１１を示す平面図である。図７において、３１１は本体部、３２１および３２２は発光管、３３１は連結管である。図７において、第２の実施形態と同一の構成部分については同一の符号を付して示した。また、以下の説明において、第１および第２の実施形態と重複する事項については説明を省略する。
【００５１】
この実施形態に係る蛍光ランプ装置３は、第２の実施形態に係る蛍光ランプ２の発光管２２１および２２２を、本体部３１１の平面方向に矩形に形成したものである。すなわち、発光管３２１および３２２は、図５に示す発光管２２１および２２２に対応する。
【００５２】
この実施形態の蛍光ランプ装置３では、発光管３２１および３２２のうち、内側に位置する発光管３２２は、装置カバー２４１の外周縁から離間させた矩形に形成される。したがって、発光管３２１および３２２は、点灯装置が収納される装置カバー２４１と本体部３１１の平面方向に重ならないように配置される。この構成により、発光管３２１および３２２から発生し装置カバー２４１を介して点灯装置に達する熱は抑制される。
【００５３】
この実施形態の蛍光ランプ装置３においても、第２の実施形態に係る蛍光ランプ装置２と同様、点灯装置が本体部３１１の底面に形成された凸部１１７の内部に配置されるとともに、発光管３２１および３２２が平面方向に一列に配置されるので、厚さをより薄くすることができる。
【００５４】
また、この実施形態の蛍光ランプ装置３においても、発光管支持部２４２により発光管３２１および３２２を一体的に固定するので、発光管３２１および３２２それぞれの位置を整えることができ、均一な光放射を可能にするとともに、製造工程を簡単にすることができる。
【００５５】
なお、本発明は上記実施形態のみに限定されるものではない。上記実施形態では、発光管を蛍光管であるものとして説明しているが、これには限定されない。棒状の管体を平面的に配置してなるランプ装置であれば同様に適用することが可能である。
【図面の簡単な説明】
【００５６】
【図１】本発明の第１の実施形態の蛍光ランプ装置の全体構成を示す分解斜視図である。
【図２】本発明の第１の実施形態の蛍光ランプ装置の本体部の構成を示す平面図である。
【図３】本発明の第１の実施形態の蛍光ランプ装置の本体部の構成を示す底面図である。
【図４】本発明の第１の実施形態の蛍光ランプ装置の本体部の構成を示す断面図である。
【図５】本発明の第２の実施形態の蛍光ランプ装置の本体部の構成を示す平面図である。
【図６】本発明の第２の実施形態の蛍光ランプ装置の本体部の構成を示す断面図である。
【図７】本発明の第３の実施形態の蛍光ランプ装置の本体部の構成を示す平面図である。
【符号の説明】
【００５７】
１…蛍光ランプ装置
１１１…本体部
１１２…カバー部
１１３…照明器具
１１４…凹部
１１５…突起部
１１６…給電孔
１１７…凸部
１１８…溝部
１１９…プラグ部
１２０ないし１２４…発光管
１３１ないし１３３…連結管
１４１…装置カバー
１４２…発光管支持部
１４３…リード線保持部
１４４…取付ねじ
１４５…接合部
１５１…リード線
１５２…点灯装置
１５３…電源線
【図１】
2007042290.tif 000003
【図２】
2007042290.tif 000004
【図３】
2007042290.tif 000005
【図４】
2007042290.tif 000006
【図５】
2007042290.tif 000007
【図６】
2007042290.tif 000008
【図７】
2007042290.tif 000009